(57)【要約】【課題】長年の経験や天候データ、特殊な測定装置を必要とせず、茶園（現場）やその近くにおいて、簡単に茶葉の品質を検査して適切な摘採時期を判断することができる、新たな茶葉の摘採時期判断方法を提案せんとする。【解決手段】摘採した茶葉を抽出もしくは搾汁して茶葉液を得、得られた茶葉液を、金属呈色試薬と接触させて、接触後の茶葉液の状態の変化を判定することにより茶葉の摘採時期を判断することを特徴とする、茶葉の摘採時期判断方法を提案する。【選択図】なし【特許請求の範囲】
【請求項１】
摘採した茶葉を抽出若しくは搾汁して得られる茶葉液、又は、摘採した茶葉を乾燥粉砕した後、水に浸漬させて茶葉成分を抽出して得られる茶葉液を、金属呈色試薬と接触させて、接触後の茶葉液の色変化を判定することにより茶葉の摘採時期を判断することを特徴とする、茶葉の摘採時期判断方法。
【請求項２】
摘採した茶葉が葉身であることを特徴とする請求項１に記載の茶葉の摘採時期判断方法。
【請求項３】
前記金属呈色試薬として、1-(2-ピリジルアゾ)-2-ナフトールを用いることを特徴とする請求項１又は２の何れかに記載の茶葉の摘採時期判断方法。
【請求項４】
金属呈色試薬と接触させた後の茶葉液の色の色相、明度、彩度とそれらの数値範囲もしくは色相、明度、彩度を指定した色見本を基準として、茶葉の摘採時期を判断することを特徴とする請求項３に記載の茶葉の摘採時期判断方法。
【請求項５】
請求項１〜４の何れかに記載の茶葉の摘採時期判断方法を利用して茶葉を摘採することを特徴とする茶葉の摘採方法。
【請求項６】
摘採した茶葉の粉砕手段、抽出手段、濾過手段、試薬反応手段、個包装された試薬及び色判定手段からなる群のうちの２種類以上をまとめて一つの包装体内に収容してなる茶葉摘採時期判断キット。
【発明の詳細な説明】
【技術分野】
【０００１】
茶葉の摘採時期を客観的且つ簡易に判断することができる茶葉の摘採時期判断方法及びこれを利用した茶の生産方法に関する。
【背景技術】
【０００２】
茶は、茶樹品種によって生長速度や養分吸収能力に違いが見られ、茶の摘採時期の判断は、生葉の収量とお茶の品質に直接影響するため、茶の生産者にとって極めて重要である。
茶の摘採は、新芽が生長している中で行われるため、品質と収量は逆の相関関係となる。すなわち、摘採時期が遅れると、収量は多くなり、品質は低下するようになる。主成分であるカフェイン・カテキン・アミノ酸（テアニン）などは、新芽の生長とともに次第に増加するが、葉が硬化して心芽が止まる状態になると急激に減少し、粗繊維が増加して品質の低下につながる。したがって、茶の生産者にとって、良質を保ちながら多くの収量を確保する摘採時期を見極めることが重要である。
【０００３】
茶樹は、一年の間に一番茶（５月初旬）、二番茶（６月）、秋冬番茶（秋）の３期間、間隔をおいて摘採が行われるのが通常である。例えば静岡県では、一番茶の摘採時期は、４月中旬から５月中旬であり、一番茶摘採後４５〜５０日間ほど経過し次の芽が伸びてくるのを待ってから二番茶を摘採し、その後に秋まで約３ヶ月待ってから秋冬番茶を摘採するといった形で農作業の配分が行われている。
【０００４】
そして、摘採した茶葉は、その日のうちに荒茶工場に持ち込まれ、加熱処理などされて荒茶に加工された後、用途に合わせて加工される。一例を挙げれば、摘採された茶生葉は、蒸気で蒸して茶生葉に含まれる酸化酵素を不活性化（殺青）させた後、粗揉、揉捻、中揉及び精揉等によって揉込み、乾燥させる一連の工程を経て荒茶とされている（非特許文献１参照）。
他方、食用茶葉としても用いられる抹茶は、覆下栽培して摘採された茶生葉を、蒸気で蒸して茶生葉に含まれる酸化酵素を不活性化（殺青）させた後、揉まずに乾燥させる一連の工程を経て荒茶（碾茶）とされている。
【０００５】
従来、摘採時期を判断する手段としては、新芽における出開き度を基準として判断することが通常であった。この出開き度とは、一定面積内における出開き芽の割合を百分率で示したもので、新芽の物理的状態を表すものであった。
しかしながら、この摘採判断指標では、一定の品質を保つことが難しいため、新たな摘採基準に基づき客観的に摘採時期を判断することが求められていた。また、加工用原料としての溶出性や清澄性の観点は考慮されておらず、例えば、飲料原料として使用した場合は、二次的な沈殿や水色、加熱による香味変化などが重要であるため、それらに関連する化学成分値を指標として用いる必要もあった。
【０００６】
このような観点から、茶葉の摘採時期を判断する新たな方法として、特許文献１は、茶葉の生育指標「（ＮＤＦ−全窒素）×葉緑素値」が３００〜１３００となるように摘採する方法を提案している。
【先行技術文献】
【非特許文献】
【０００７】
【非特許文献１】静岡県茶業会議所編、１９８８、「新茶業全書」、静岡県茶業会議所、ｐ３１０〜ｐ３４２
【特許文献】
【０００８】
【特許文献１】特開２０１２−９５５７５号公報
【発明の概要】
【発明が解決しようとする課題】
【０００９】
近年の天候不順などの影響もあって、同じ季節や時期でも、天候や気温が大きく変わることがしばしば生じることがある。そのため、長年蓄積した天候データや経験などに依拠して茶葉の摘採時期を判断したのでは、適切な摘採時期を逃してしまうことがあった。
【００１０】
そこで本発明は、長年の経験や天候データ、特殊な測定装置を必要とせず、茶園（現場）やその近くにおいて、簡単に茶葉の品質を検査して適切な摘採時期を判断することができる、新たな茶葉の摘採時期判断方法及びこれを利用した茶の生産方法を提案せんとするものである。
【課題を解決するための手段】
【００１１】
本発明は、摘採した茶葉を抽出もしくは搾汁して茶葉液を得、得られた茶葉液を、金属呈色試薬と接触させて、接触後の茶葉液の状態の変化を判定することにより茶葉の摘採時期を判断することを特徴とする、茶葉の摘採時期判断方法を提案する。
【００１２】
本発明はまた、摘採した茶葉を乾燥させた後、茶葉を粉砕し、水に浸漬させて茶葉成分を抽出した後、茶葉成分が抽出された茶葉液に金属呈色試薬を加えて、茶葉液の色変化を判定することにより、茶葉の摘採時期を判断することを特徴とする、茶葉の摘採時期判断方法を提案する。
【発明の効果】
【００１３】
本発明が提案する茶葉の摘採時期判断方法によれば、長年の経験や天候データ、特殊な測定装置を必要とせず、茶園（現場）において簡単に茶葉の品質を検査して適切な摘採時期を判断することができる。よって、この茶葉の摘採時期判断方法を利用して茶葉を摘採して茶を生産することにより、品質の良い茶及び茶飲料をより安定して且つ安価に生産することが可能となる。
【発明を実施するための形態】
【００１４】
次に、実施の形態例に基づいて本発明を説明する。但し、本発明が次に説明する実施形態に限定されるものではない。
【００１５】
＜本摘採時期判断方法＞
本発明の実施形態の一例に係る茶葉の摘採時期判断方法（以下「本摘採時期判断方法」と称する）では、摘採した茶葉（測定サンプル）を抽出もしくは搾汁して得た茶葉液、又は、摘採した茶葉を乾燥させた後、茶葉を粉砕し、水に浸漬させて茶葉成分を抽出して得られた茶葉液を、金属呈色試薬と接触させて、接触後の茶葉液の状態の変化を判定することにより茶葉の摘採時期を判断することができる。
【００１６】
（測定サンプル）
摘採した茶葉（測定サンプル）を抽出もしくは搾汁して茶葉液とする方法においては、摘採した茶葉は、摘採してから時間が経過すると色が変化するため、金属呈色試薬の呈色試験に影響を及ぼす可能性がある。よって、茶葉は摘採してから４８時間以内、特に１２時間以内のうちに金属呈色試薬による呈色試験に供するのが好ましい。
【００１７】
但し、後述するように、茶葉を乾燥させれば、摘採してから４８時間経過後であっても、呈色試験に影響はないため、摘採してから４８時間以内に金属呈色試薬に供する必要はない。この場合、摘採してから４８時間以内、特に１２時間以内に乾燥させるのが好ましい。
【００１８】
摘採した茶葉を乾燥させた後、茶葉を粉砕して測定サンプルとしてもよい。例えば複数の茶園で茶葉を摘採して測定サンプルとする場合には、摘採してすぐに呈色試験を行うことが難しい場合もある。その場合には、摘採した茶葉を乾燥させ、その後、粉砕及び呈色試験を行うようにすればよい。
前記茶葉を水で浸出する際は、茶葉の乾物重量と水の割合を一定にするのが好ましい。
茶葉の乾燥は、低水分の茶葉粉砕物の抽出液は水色及び試薬反応による色変化が安定しやすいため、水分が０〜１０質量％となるように、特に１質量％以上或いは７質量％以下となるように乾燥させるのが好ましい。
【００１９】
測定サンプルとする茶葉は、茶園内の異なる箇所少なくとも２か所以上で摘採した茶葉を測定サンプルとするのが好ましい。同じ茶園であっても、場所によって出開き度が異なるためである。
【００２０】
測定サンプルとする茶葉（新芽）は、そのシーズンに新たに伸びた部分全部（心、茎及び葉を含む）としてもよいし、一心二葉〜一心五葉としてもよいし、一心二葉〜一心五葉のうちの何れかを決めて測定サンプルとしてもよい。中でも、評価精度を高める観点から、心すなわち茎部分を除いた茶身を測定サンプルとするのが好ましい。
【００２１】
測定サンプルとする茶葉は、ＮＤＦ（中性デタージェント繊維）量３２質量％以下の茶葉であるのが好ましい。
ＮＤＦ量が少ない茶葉の方が、茎を多く含むなど繊維量の高い茶葉に比べて、亜鉛などの微量成分を安定的に溶出させることができるため、測定サンプルとする茶葉は、ＮＤＦ量３２質量％以下、中でも３０質量％以下、その中でもＮＤＦ量２８質量％以下の茶葉であるのが特に好ましい。
なお、ＮＤＦ量としては、中性デタージェント繊維法や、近赤外分析法により分析した中性デタージェント繊維量を用いるのが好ましい。
【００２２】
測定サンプルとする茶葉のＮＤＦ量を３２質量％以下に調整する手段としては、例えば摘採した生茶葉から、少なくとも茎を取り除く方法を挙げることができる。
摘採した生茶葉には、茎と複数枚の茶葉とが含まれるが、茎部分はＮＤＦ量が高いために、茎を取り除くことにより、ＮＤＦ量を低下させることができる。この際、必ずしも全ての茎を取り除く必要はない。好ましくは５０％以上、特に８０％以上の茎を取り除くのがよい。
また、茎を取り除いてもＮＤＦ量が３２質量％より高い場合には、葉柄や葉脈を剥ぎ取るようにすればよい。
【００２３】
（粉砕）
摘採した茶葉、好ましくは茶身を、必要に応じて粉砕して測定サンプルとすることが好ましい。
茶葉の粉砕手段としては、例えばすり鉢、乳鉢、ジューサー、ニンニク絞り器、ペンチ、鋏などのように、水分を持った生茶葉を粉砕して回収できるものなら採用可能である。
他方、乾燥した茶葉の場合は、例えばすり鉢、乳鉢、ミル、臼などによる粉砕を挙げることができる。
【００２４】
茶葉又は乾燥させた茶葉を粉砕する程度としては、１ｍｍ角以下の大きさとするのが好ましい。
【００２５】
（抽出もしくは搾汁）
測定サンプルとしての茶葉は、抽出若しくは搾汁して茶葉液を得、得られた茶葉液を金属呈色試薬と接触させて、接触後の状態の変化を判定することにより、茶葉の摘採時期を判断する。
【００２６】
粉砕した生茶葉或いは粉砕した乾燥茶葉を抽出する手段としては、茶葉、好ましくは乾燥させた茶葉、特に好ましくは乾燥後粉砕した茶葉を、水に浸漬させて茶葉成分を抽出させた茶葉液を得る方法を挙げることができる。
この際、使用する水は、水に含まれる成分の影響を除くため、蒸留水やイオン交換水を用いるのが好ましい。
茶葉に対する水の量としては１：１〜１：１０００、特に１：２０以上或いは１：４００以下であるのが好ましい。
また、水の温度は、室温、すなわち１５〜３０℃であればよい。
浸漬時間は０．５分〜６０分、中でも２分以上或いは２０分以下であるのが好ましい。
【００２７】
茶葉を搾汁して茶葉液を得る手段としては、例えばすり鉢、乳鉢、ジューサー、ニンニク絞り器などを挙げることができる。
【００２８】
（濾過）
上記のようにして得た茶葉液は、そのままでは茶葉液が懸濁した状態でも構わないが、色が見やすくなるため濾過した方が好ましく、茶葉液を濾過した後、その濾過液に金属呈色試薬を接触させて、接触後の茶葉液の状態の変化を検討するのが好ましい。
この際の濾過方法としては、布等で絞ってもよいし、フィルターを用いて濾過してもよく、また遠心分離等を行った後の上澄みをとってもよく、それらを組み合わせてもよい。
【００２９】
金属呈色試薬を接触させた後の茶葉液の状態の変化とは、色の変化のほか、濁りが生じたり、沈澱が生じたりするなどの状態の変化を包含する。但し、色の変化を判定するのが好ましい。
【００３０】
（金属呈色試薬）
金属呈色試薬としては、1-(2-ピリジルアゾ)-2-ナフトール、Zincon、2-(5-ブロモ-2-ピリジアルアゾ)-5-(N-プロピル-N-スルホプロピルアミノ)フェノール、ビスマス酸塩、過ヨウ素酸塩などを挙げることができる。中でも、茶葉中の複数の種類の金属を調べることができる観点から、1-(2-ピリジルアゾ)-2-ナフトールが特に好ましい。
【００３１】
金属呈色試薬は、粉体又は液体の状態で用いてもよいし、また、同成分を含む分析キットとして用いてもよいし、また、同成分を含む試験紙などの形態として用いてもよい。
【００３２】
よって、上記のようにして得た茶葉液に金属呈色試薬を加えて、試薬反応による色変化を判定するようにしてもよいし、又、上記のようにして得た茶葉液を、金属呈色試薬を含む試験紙に付着させて、試薬反応による色変化を判定するようにしてもよい。
【００３３】
金属呈色試薬として、1-(2-ピリジルアゾ)-2-ナフトールを用いた場合は、反応後の茶葉液は、茶葉の状態に応じて色相、明度、彩度ともに変化する。そこで、予め「早期（未熟な茶葉）の状態」、「適期（好ましい茶葉）の状態」、「晩期（成熟した茶葉）の状態」等の茶葉の状態に応じた茶葉液の色相、明度、彩度に対応した色見本を作製しておき、同色見本と比較して摘採時期を判断するのが好ましい。同色見本については、「一定日後に好ましい茶葉となる状態」、「好ましい茶葉の状態」、「好ましい茶葉の状態から一定日後の状態」等、好ましい茶葉の状態まであと何日である、もしくは何日後であるかを推定できるようにしておいてもよい。なお、茶は、煎茶、抹茶、玉露、容器詰茶飲料原料、食品加工用原料等の使用用途によって好ましい摘採時期は異なることがある。そこで、使用用途に応じた色見本を作製しておき、使用用途に応じて色見本を使い分けてもよい。また、色見本を用いず、上記各状態についての色相、明度、色彩等の色の属性について数値範囲を定め、光度計等を用いて茶溶液の色変化を判定してもよい。
【００３４】
なお、このような金属呈色試薬による判定方法では、有機物や測定対象以外の金属などの夾雑物が影響するため、換算式や同夾雑物を除去する前処理等で除去するのが好ましい。
【００３５】
茶の新芽中に微量に含まれる金属類には、新芽の生育とともに特異的な増減するものがあることが知られており、例えば新芽中の亜鉛含量は生育とともに減少する傾向にあり、結果的に品質の良好な荒茶には亜鉛が多いといわれている。一方、新芽中のマンガン含有量は、新芽の生育とともに増加する傾向にあるが、硬化した茎では減少するなど、新芽の生育とともに特徴的な動きをすることがわかっている。よって、茶葉における亜鉛含有量やマンガン含有量など微量に含まれる金属類を生産現場で検査し、摘採時期を判断することが望まれる。
しかしながら、従来、茶葉中の無機元素（亜鉛等）を定量する方法としては、原子吸光法やＩＣＰによらなければならず、現場で簡易に判断することはできなかった。
本発明が提案する方法によれば、茶の新芽から、簡易的に亜鉛やマンガンなど新芽中に微量に含まれ、特異的に増減する金属類を抽出して、摘採時期判断に利用可能な精度で分析することができる。
【００３６】
複数の茶園について効率的に、茶葉から茶葉液を得て、金属呈色試薬を加えて色変化を判定して、茶葉の摘採時期を判断するためには、粉砕手段、抽出手段、搾汁手段、濾過手段、試薬反応手段、色変化判定手段のすべて、若しくは、これらのうちの一種又は２種以上の手段を一連の作業で行うことが好ましい。そして、それらの手段に必要な器具及び試薬をまとめた一つの製品、すなわち茶葉摘採時期判断キットとして用意しておくことは特に好ましいことである。
【００３７】
上記キットとしては、例えば、摘採した茶葉の粉砕手段、抽出手段、濾過手段、試薬反応手段、個包装された試薬及び色判定手段からなる群のうちの２種類以上をまとめて一つの包装体内に収容してなる茶葉摘採時期判断キットを挙げることができる。より具体的には、例えば、粉砕手段としてすり鉢、抽出手段として計量線付きの蓋付き試験管とイオン交換水、濾過手段としてシリンジとシリンジフィルター、試薬反応手段としての計量線付き試験管、個包装された試薬、及び、色判定手段としての色見本からなる群のうちの２種類以上をまとめて一つの包装体内に収容してなるキットを例示することができる。もっとも簡便には、茶葉液を充填するための透明容器、金属呈色試薬、色見本、及び使用説明書からなるキットである。
【００３８】
＜語句の説明＞
本明細書において「Ｘ〜Ｙ」（Ｘ，Ｙは任意の数字）と表現する場合、特にことわらない限り「Ｘ以上Ｙ以下」の意と共に、「好ましくはＸより大きい」或いは「好ましくはＹより小さい」の意も包含する。
また、「Ｘ以上」（Ｘは任意の数字）或いは「Ｙ以下」（Ｙは任意の数字）と表現した場合、「Ｘより大きいことが好ましい」或いは「Ｙ未満であることが好ましい」旨の意図も包含する。
【実施例】
【００３９】
以下、本発明を試験結果に基づいてさらに詳述する。
【００４０】
＜試験１＞
摘採時期の異なる３種類の生茶葉Ａ〜Ｃを、摘採してから４８時間以内にそれぞれ粉砕し、粉砕した茶葉を水に加えて浸出させた後、金属呈色試薬を加えて色変化を観察すると共に、同生茶葉を荒茶加工して製品としての評価を行った。詳しくは次のように行った。
生茶葉Ａ：５/１２に静岡で摘採  
生茶葉Ｂ：５/４に静岡で摘採
生茶葉Ｃ：４/２０に静岡で摘採
なお、各生茶葉Ａ〜Ｃは、試験地における慣行の摘採高さで摘採した。
【００４１】
（１）生茶葉２ｇを乳鉢ですりつぶした。
（２）すりつぶした生茶葉２ｇを、２．４０ｍＬのイオン交換水(水温２０℃)を加えて５分間浸出させて懸濁させた。
（３）布等で絞って濾過した。
（４）濾過液（すなわち茶葉液）１ｍＬ中に、1-(2-ピリジルアゾ)-2-ナフトール溶液０．５ｍＬを加えて懸濁させた。
なお、当該1-(2-ピリジルアゾ)-2-ナフトール溶液は、５０％メタノール、０．００５％ＴｒｉｔｏｎX100、及び０．０２Ｍ水酸化ナトリウムを含む水溶液に1-(2-ピリジルアゾ)-2-ナフトールを溶解した溶液であり、当該溶液０．５ｍＬ中には０．１ｍｇの1-(2-ピリジルアゾ)-2-ナフトールが含まれていた。
（５）1-(2-ピリジルアゾ)-2-ナフトール溶液を加えて２分後の茶葉液の水色の濃淡を目視により３段階にグループ分けて評価した。
（６）同生茶葉を荒茶加工して、官能評価を行った（外観）。
【００４２】
茶葉液の水色の濃淡を次の判断基準で評価した。
１：淡い
２：普通
３：濃い
【００４３】
官能評価は、１０名の官能訓練を受けた審査官が、黒色で底長１７ｃｍの正方形の審査ぼんに入った各荒茶サンプル約１５０ｇの形状及び色沢について、次の判断基準で評価した。
【００４４】
（形状）
×（poor）：扁平、大形、不揃い、小玉あり
△（normal）：○と×の中間
○（good）：細よれでしまりが良い、かたちが整っている
【００４５】
（色沢）
×（poor）：赤み、黒み、白ずれのいずれかあり、もしくはつや不足
△（normal）：○と×の中間
○（good）：緑色でつやがある
【００４６】
（総合評価）
×（poor）：形状もしくは色沢に一つ以上×があるもの
△（normal）：形状もしくは色沢に×はないが、一つ以上△があるもの
○（good）：形状、色沢ともに○のもの
【００４７】
【表１】
2015161676.tif 000002
【００４８】
（考察）
茶葉液に呈色試薬を加えたときの水色の濃淡で茶葉の品質判別のうえ、好適な品質のときに生産することにより、良好な品質の茶の生産ができると考えられる。
また、茶葉液に呈色試薬を加えたときの水色の濃淡で茶葉の品質判別が可能と考えられる。
【００４９】
＜試験２＞
摘採時期の異なる５種類の生茶葉Ｄ〜Ｈを、摘採してから４８時間以内にそれぞれ乾燥させて粉砕し、粉砕した茶葉を水に加えて浸出させた後、金属呈色試薬を加えて色変化を観察すると共に、同生茶葉を荒茶加工して製品としての評価を行った。詳しくは次のように行った。
生茶葉Ｄ：５/１５に静岡で摘採  
生茶葉Ｅ：５/１０に静岡で摘採
生茶葉Ｆ：５/６に静岡で摘採
生茶葉Ｇ：５/１に静岡で摘採
生茶葉Ｈ：４/１５に静岡で摘採
なお、各生茶葉Ｄ〜Ｈは、試験地における慣行の摘採高さで摘採した。
【００５０】
（１）生茶葉を電子レンジで乾燥させて水分を５％とした後、ＵＤＹ製のサイクロンミルで粉砕し、１ｍｍメッシュの網目を通過したものを測定サンプルとした。
（２）当該測定サンプル０．５ｇを、５０ｍＬのイオン交換水(水温２０℃)を加えて５分間浸出させて懸濁させた。
この際、測定サンプルを加えた直後（０分経過時点）と、２．５分経過時点とにおいてよく振って懸濁させた。
（３）次に、遠心分離（４０００ｒｐｍ、３分間）して遠沈後、濾過（No.6）した。
（４）濾過液（すなわち浸出液）１ｍＬ中に、1-(2-ピリジルアゾ)-2-ナフトール溶液０．５ｍＬを加えて懸濁させた。
なお、当該1-(2-ピリジルアゾ)-2-ナフトール溶液は、５０％メタノール、０．００５％ＴｒｉｔｏｎX100、及び０．０２Ｍ水酸化ナトリウムを含む水溶液に1-(2-ピリジルアゾ)-2-ナフトールを溶解した溶液であり、当該溶液０．５ｍＬ中には０．１ｍｇの1-(2-ピリジルアゾ)-2-ナフトールが含まれていた。
（５）1-(2-ピリジルアゾ)-2-ナフトール溶液を加えて３分後に、濾過液の水色を色見本と比較して５つにグループ分けて評価した。
（６）同生葉を荒茶加工して、官能評価（200ml白磁碗で熱湯を注いで水色、滋味を評価）
【００５１】
官能評価は、１０名の官能訓練を受けた審査官が、次の判断基準で評価した。
なお、表２中の濾過液の水色については、下記基準（マルセル表示系に従う）で評価した。
１’：２Ｙ７．５／１３．０  （山吹色）
２’：４ＹＲ７．０／１１．５（ナスターシャムオレンジ）
３’：１０Ｒ６．５／１１．５（キャロットオレンジ）
４’：８Ｒ６／１２．５      （鉛丹に近い色）
５’：１．５ＹＲ６／１１．０（黄赤に近い色）
【００５２】
（水色）
×（poor）：悪い
△（normal）：○と×の中間
○（good）：良い 
【００５３】
（滋味）
×（poor）：悪い
△（normal）：○と×の中間
○（good）：良い
【００５４】
（総合評価）
×（poor）：水色もしくは滋味に一つ以上×があるもの
△（normal）：水色もしくは滋味に×はないが、一つ以上△があるもの
◎（good）：水色、滋味ともに○のもの
【００５５】
【表２】
2015161676.tif 000003
【００５６】
（考察）
生葉を、上記前処理を行った上で、呈色試薬を加え、比色評価することにより、荒茶にしたときの品質判別が可能になることが分かった。従って、この品質判別結果をもとに茶を生産することにより良好な品質の茶葉が生産できると考えられる。
また、金属呈色試薬を加えた後の色変化と、茶の摘採時期とは相関があり、さらには荒茶にしたときの品質とも相関があることが分かった。
この結果からすると、金属呈色試薬を加えた後の色が４ＹＲ７．０/１１．５（ナスターシャムオレンジ）〜８Ｒ６/１２．５（鉛丹に近い色）に変化した時に茶葉を摘採するのが好ましいと考えることができる。
なお、金属呈色試薬を加えた後の色が４ＹＲ７．０/１１．５（ナスターシャムオレンジ）〜８Ｒ６/１２．５（鉛丹に近い色）に変化した時に茶葉を摘採するのが好ましいと判断できるのは、上記処理の濃度で茶葉を浸漬し、上記濃度の試薬を上記量加えた場合の結果であり、茶葉の量、浸漬の水の量、試薬の量などが異なれば、好ましい色は多少異なることになるから、調整することが好ましい。
【００５７】
＜試験３＞
摘採時期の異なる５種類の生茶葉Ｉ〜Ｍの葉身部分を、摘採してから４８時間以内にそれぞれ乾燥させ、粉砕し、粉砕した茶葉を水に加えて浸出させた後、金属呈色試薬を加えて色変化を観察すると共に、同生茶葉を荒茶加工後に緑茶飲料加工をして製品としての評価を行った。詳しくは次のように行った。
生茶葉Ｉ：５/１５に宮崎で摘採
生茶葉Ｊ：５/１１に宮崎で摘採
生茶葉Ｋ：５/５に宮崎で摘採
生茶葉Ｌ：５/１に宮崎で摘採
生茶葉Ｍ：４/２１に宮崎で摘採
なお、各生茶葉Ｉ〜Ｍは、試験地における慣行の摘採高さで摘採した。
【００５８】
（１）生茶葉から茎と葉柄部分等を取り除き、葉身部分を試料サンプルとした。
（２）試料サンプルを電子レンジで乾燥させて水分を５％とした後、ＵＤＹ製のサイクロンミルで粉砕し、１ｍｍメッシュの網目を通過したものを測定サンプルとした。
（３）当該測定サンプル０．５ｇを、５０ｍＬのイオン交換水(水温２０℃の)に加えて５分間浸出させた。この際、測定サンプルを加えた直後（０分経過時点）と、２．５分経過時点とにおいてよく振って懸濁させた。
（４）次に、遠心分離（４０００ｒｐｍ、３分間）して遠沈後、濾過（No.6）した。
（５）濾過液（すなわち浸出液）１ｍＬ中に、1-(2-ピリジルアゾ)-2-ナフトール溶液０．５ｍＬを加えて懸濁させた。
なお、当該1-(2-ピリジルアゾ)-2-ナフトール溶液は、５０％メタノール、０．００５％ＴｒｉｔｏｎX100、及び０．０２Ｍ水酸化ナトリウムを含む水溶液に1-(2-ピリジルアゾ)-2-ナフトールを溶解した溶液であり、当該溶液０．５ｍＬ中には０．１ｍｇの1-(2-ピリジルアゾ)-2-ナフトールが含まれていた。
（６）1-(2-ピリジルアゾ)-2-ナフトール溶液を加えて３分後に、濾過液の水色を色見本と比較して５つにグループ分けて評価した。
（７）同生葉を荒茶加工した上で加熱処理済み茶飲料を作製し、常温に調整後、官能評価した。
【００５９】
茶飲料は以下の方法で作製した。
荒茶８０ｇを、８５℃の熱水１０Ｌ、抽出時間８分の条件にて抽出した。
この抽出液をステンレスメッシュ（２０メッシュ）で粗濾過して茶殻を取り除いた後、ステンレスメッシュ（８０メッシュ） で濾過し、さらにＳＡ１連続遠心分離機（ウエストファリアー社製）を用いて流速３００Ｌ／ｈ、回転数１００００ｒｐｍ、遠心沈降液面積（Σ）１０００ｍ２の条件にて遠心分離し、抽出液を得た。
各抽出液に、アスコルビン酸を４００ｐｐｍ添加した後、重曹を添加してｐＨ６．２に調整し、イオン交換水を加えて全量を１００００ｍｌに調整し、この液をＵＨＴ殺菌（１３５℃、３０秒）を行い、プレート内で冷却し、８５℃にて透明プラスチック容器（ＰＥＴボトル）に充填し、ただちに２０℃まで冷却したものを茶飲料とした。
【００６０】
官能評価は、１０名の官能訓練を受けた審査官が、次の判断基準で評価した。
なお、表３中の濾過液の水色については、下記基準（マルセル表示系に従う）で評価した。
１”：２Ｙ７．５／１３．０    （山吹色）
２”：４ＹＲ７．０／１１．５  （ナスターシャムオレンジ）
３”：１０Ｒ６．５／１１．５  （キャロットオレンジ）
４”：９．５Ｒ６．５／１２．０（黄丹に近い色）
５”：２．５ＹＲ７／１１．０  （黄赤に近い色）
【００６１】
（香味）
×（poor）：悪い
△（normal）：○と×の中間
○（good）：良い
◎（very good）：特に良い 
【００６２】
（水色）
×（poor）：悪い
△（normal）：○と×の中間
○（good）：良い
◎（very good）：特に良い 
【００６３】
（総合評価）
×（poor）：香味もしくは水色に一つ以上×があるもの
△（normal）：香味もしくは水色に×はないが、一つ以上△があるもの
○（good）：香味、水色ともに○以上でありるが、両方◎ではないもの
◎（very good）：香味、水色ともに◎のもの
【００６４】
【表３】
2015161676.tif 000004
【００６５】
（考察）
生葉を、上記前処理を行った上で、呈色試薬を加え、比色評価することにより、加熱処理済み茶飲料にしたときの品質判別が可能であることが分かった。従って、この品質判別結果をもとに茶を生産することにより良好な品質の茶葉が生産できると考えられる。
また、金属呈色試薬を加えた後の色変化と、茶の摘採時期とは相関があり、さらには加熱処理済み茶飲料にしたときの品質とも相関があることが分かった。
この結果からすると、金属呈色試薬を加えた後の色が４ＹＲ７．０/１１．５（ナスターシャムオレンジ）〜９．５Ｒ６．５/１２．０（黄丹に近い色）に変化した時、中でも１０Ｒ６．５/１１．５（キャロットオレンジ）に変化した時に茶葉を摘採するのが好ましいと考えることができる。
【手続補正書】
【提出日】平成27年6月24日(2015.6.24)
【手続補正１】
【補正対象書類名】特許請求の範囲
【補正対象項目名】全文
【補正方法】変更
【補正の内容】
【特許請求の範囲】
【請求項１】
摘採した茶葉の葉身を抽出若しくは搾汁して得られる茶葉液、又は、摘採した茶葉の葉身を乾燥粉砕した後、水に浸漬させて茶葉成分を抽出して得られる茶葉液を、金属呈色試薬と接触させて、接触後の茶葉液の色変化を判定することにより茶葉を摘採するのに適した時期を判断することを特徴とする、茶葉の摘採時期判断方法。
【請求項２】
前記金属呈色試薬として、1-(2-ピリジルアゾ)-2-ナフトールを用いることを特徴とする請求項１に記載の茶葉の摘採時期判断方法。
【請求項３】
金属呈色試薬と接触させた後の茶葉液の色の色相、明度、彩度とそれらの数値範囲もしくは色相、明度、彩度を指定した色見本を基準として、茶葉の摘採時期を判断することを特徴とする請求項２に記載の茶葉の摘採時期判断方法。
【請求項４】
請求項１〜３の何れかに記載の茶葉の摘採時期判断方法を利用して茶葉を摘採することを特徴とする茶葉の摘採方法。
【請求項５】
摘採した茶葉の葉身の粉砕手段、抽出手段、濾過手段、試薬反応手段、個包装された試薬及び色判定手段からなる群のうちの２種類以上をまとめて一つの包装体内に収容してなる、茶葉を摘採するのに適した時期を判断する茶葉摘採時期判断キット。
【手続補正２】
【補正対象書類名】明細書
【補正対象項目名】００１１
【補正方法】変更
【補正の内容】
【００１１】
本発明は、摘採した茶葉の葉身を抽出若しくは搾汁して茶葉液を得、得られた茶葉液を、金属呈色試薬と接触させて、接触後の茶葉液の状態の変化を判定することにより茶葉を摘採するのに適した時期を判断することを特徴とする、茶葉の摘採時期判断方法を提案する。
【手続補正３】
【補正対象書類名】明細書
【補正対象項目名】００１２
【補正方法】変更
【補正の内容】
【００１２】
本発明はまた、摘採した茶葉の葉身を乾燥させた後、茶葉を粉砕し、水に浸漬させて茶葉成分を抽出した後、茶葉成分が抽出された茶葉液に金属呈色試薬を加えて、茶葉液の色変化を判定することにより、茶葉を摘採するのに適した時期を判断することを特徴とする、茶葉の摘採時期判断方法を提案する。
【手続補正４】
【補正対象書類名】明細書
【補正対象項目名】００２０
【補正方法】変更
【補正の内容】
【００２０】
測定サンプルとする茶葉（新芽）は、そのシーズンに新たに伸びた部分全部（芯、茎及び葉を含む）としてもよいし、一芯二葉〜一芯五葉としてもよいし、一芯二葉〜一芯五葉のうちの何れかを決めて測定サンプルとしてもよい。中でも、評価精度を高める観点から、芯すなわち茎部分を除いた葉身を測定サンプルとするのが好ましい。